【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
ビデオサーバにおいて、第１フレームを含むフレームのストリーム内のシーンを表す前記第１フレームの部分の補間パラメータを表すメタデータを生成することであって、前記補間パラメータは、前記フレームのストリーム内で前記第１フレームの後であって第２フレームの前のシーンを表す少なくとも１つの補間フレームを生成するために使用され、前記少なくとも１つの補間フレームは、前記フレームのストリームのフレームレートを増加させるために追加される、ことと、
前記ビデオサーバにおいて、前記メタデータを前記ストリームに組み込むことと、
前記メタデータを含む前記ストリームを前記メタデータから送信することと、を含む、
方法。
【請求項２】
前記メタデータを生成することは、前記フレームの部分に関連する動きベクトルと前記動きベクトルの信頼度尺度とを表すメタデータを生成することを含む、
請求項１の方法。
【請求項３】
前記メタデータを生成することは、前記フレームの隣接する部分についての隣接する補間パラメータと統計的に異なる前記フレームの部分についての外れ値補間パラメータを識別することと、前記隣接する動きベクトルに基づいて、前記外れ値補間パラメータが補間のために無視されることを示すメタデータ、又は、前記外れ値補間パラメータを修正するメタデータを生成することと、を含む、
請求項１の方法。
【請求項４】
オクルージョン検出を実行して、前記フレームの遮られた部分についての補間パラメータを識別することをさらに含む、
請求項１の方法。
【請求項５】
オクルージョン検出を実行することは、前記ビデオサーバにおいてオクルージョン検出を実行することを含み、前記メタデータを生成することは、前記フレームの遮られた部分についての前記補間パラメータが補間のために無視されることを示すメタデータを生成することを含む、
請求項４の方法。
【請求項６】
ビデオクライアントにおいて、第１フレームの部分についての補間パラメータを表すメタデータを含むフレームの第１ストリーム内のシーンを表す前記第１フレームを受信することと、
前記ビデオクライアントにおいて、前記第１フレーム及び前記メタデータに基づいて、前記フレームの第１ストリームの前記第１フレームの後であって第２フレームの前のシーンを表す少なくとも１つの補間フレームを生成することと、
前記ビデオクライアントにおいて、前記第１フレームと、前記少なくとも１つの補間フレームを含むフレームの第２ストリームと、前記第２フレームと、を表示することであって、前記フレームの第２ストリームのフレームレートは、前記第１ストリームのフレームレートよりも高い、ことと、を含む、
方法。
【請求項７】
前記補間パラメータを表すメタデータを受信することは、前記フレームの部分に関連する動きベクトルと前記動きベクトルの信頼度尺度とを表すメタデータを受信することを含む、
請求項６の方法。
【請求項８】
前記メタデータを受信することは、前記フレームの隣接する部分についての隣接する補間パラメータと統計的に異なる前記フレームの部分についての外れ値補間パラメータを識別するメタデータを受信することを含み、
前記少なくとも１つの補間フレームを生成することは、前記少なくとも１つの補間フレームを生成する場合に前記外れ値補間パラメータを無視することを含む、
請求項６の方法。
【請求項９】
前記ビデオクライアントにおいて、オクルージョンを実行して、前記フレームの遮られた部分についての補間パラメータを識別することと、
前記少なくとも１つの補間フレームを生成する場合に前記フレームの遮られた部分についての補間パラメータを無視することと、を含む、
請求項６の方法。
【請求項１０】
前記メタデータを受信することは、前記フレームの遮られた部分についての補間パラメータを示すメタデータを受信することを含み、
前記少なくとも１つの補間フレームを生成することは、前記少なくとも１つの補間フレームを生成する場合に、前記フレームの遮られた部分についての補間パラメータを無視することを含む、
請求項６の方法。
【請求項１１】
第１フレームを含むフレームのストリーム内のシーンを表す前記第１フレームの部分についての補間パラメータを表すメタデータを生成するプロセッサであって、前記補間パラメータは、前記フレームのストリーム内で前記第１フレームの後であって第２フレームの前のシーンを表す少なくとも１つの補間フレームを生成するために使用され、前記プロセッサは、前記メタデータを前記ストリームに組み込むように構成されており、前記少なくとも１つの補間フレームは、前記ストリームのフレームレートを増加させるために追加される、プロセッサと、
前記メタデータを含む前記ストリームを送信するためのトランシーバと、を備える、
ビデオサーバ。
【請求項１２】
前記プロセッサは、前記フレームの部分に関連する動きベクトルと前記動きベクトルの信頼度尺度とを表すメタデータを生成するように構成されている、
請求項１１のビデオサーバ。
【請求項１３】
前記プロセッサは、前記フレームの隣接する部分についての隣接する補間パラメータと統計的に異なる前記フレームの部分についての外れ値補間パラメータを識別するように構成されている、
請求項１１のビデオサーバ。
【請求項１４】
前記プロセッサは、前記隣接する動きベクトルに基づいて、前記外れ値補間パラメータが補間のために無視されることを示すメタデータ、又は、前記外れ値補間パラメータを修正するメタデータを生成するように構成されている、
請求項１３のビデオサーバ。
【請求項１５】
前記プロセッサは、オクルージョン検出を実行して、前記フレームの遮られた部分についての補間パラメータを識別し、前記フレームの遮られた部分についての前記補間パラメータが補間のために無視されることを示すメタデータを生成するように構成されている、
請求項１１のビデオサーバ。
【請求項１６】
第１フレームの部分についての補間パラメータを表すメタデータを含むフレームの第１ストリーム内のシーンを表す前記第１フレームを受信するトランシーバと、
前記第１フレーム及び前記メタデータに基づいて、前記フレームの第１ストリームの前記第１フレームの後であって第２フレームの前のシーンを表す少なくとも１つの補間フレームを生成するプロセッサと、
前記第１フレームと、前記少なくとも１つの補間フレームと、前記第２フレームと、をを含む前記フレームの第２ストリームを表示するスクリーンであって、前記フレームの第２ストリームのフレームレートは、前記フレームの第１ストリームのフレームレートよりも高い、スクリーンと、を備える、
ビデオクライアント。
【請求項１７】
前記トランシーバは、前記フレームの部分に関連する動きベクトルと、前記動きベクトルの信頼度尺度を表すメタデータと、を受信するように構成されている、
請求項１６のビデオクライアント。
【請求項１８】
前記トランシーバは、前記フレームの隣接する部分についての隣接する補間パラメータと統計的に異なる前記フレームの部分についての外れ値補間パラメータを識別するメタデータを受信するように構成されており、前記プロセッサは、前記少なくとも１つの補間フレームを生成する場合に、前記外れ値補間パラメータを無視するように構成されている、
請求項１６のビデオクライアント。
【請求項１９】
前記プロセッサは、オクルージョン検出を実行して、前記フレームの遮られた部分についての補間パラメータを識別し、前記少なくとも１つの補間フレームを生成する場合に、前記フレームの遮られた部分についての前記補間パラメータを無視するように構成されている、
請求項１６のビデオクライアント。
【請求項２０】
前記トランシーバは、前記フレームの遮られた部分についての補間パラメータを示すメタデータを受信するように構成されており、前記プロセッサは、前記少なくとも１つの補間フレームを生成する場合に、前記フレームの遮られた部分についての前記補間パラメータを無視するように構成されている、
請求項１６のビデオクライアント。
【請求項２１】
ビデオフレームレートアップ変換のターゲットフレームレートを決定することと、
前記第１フレーム及び前記第２フレームが組み合わされた場合に前記ターゲットフレームレートを生成するために、少なくとも１つの補間フレーム及び前記メタデータを生成することと、を含む、
請求項１の方法。
【請求項２２】
前記プロセッサは、
ビデオフレームレートアップ変換のターゲットフレームレートを決定することと、
前記第１フレーム及び前記第２フレームが組み合わされた場合に前記ターゲットフレームレートを生成するために、少なくとも１つの補間フレーム及び前記メタデータを生成することと、
を行うように構成されている、
請求項１１のビデオサーバ。